(57)【要約】【課題】効率良い洗浄作業が簡単に実現できるように、洗浄水等を供給するだけで往復回転運動を一定角度で繰り返す事の出来る、コンパクトな洗浄ノズル取り付け装置を提供する。【解決手段】高圧水配管などに固定された給水口ＸＸのあるケース部１と、洗浄ノズル取付口ＹＹのあるＬ型継手Ｚと管用ねじで接合された回転軸部２の間に、その回転軸部２を中心軸として往復回転移動する切替部３を設け、水車等の駆動装置に流体を通過または噴射させる構造の可逆駆動源９によって、洗浄ノズルの取付軸を回転させ、同時にその回転力で、可逆駆動源への流れを切替部３の正転時通過孔ａ１−ｂ２と逆転時通過孔ａ２−ｂ１を交互に一定回転角度で切替える機構を内蔵する事により、高圧水等の噴射を交互に一定角度で正逆往復回転するコンパクトな洗浄ノズル取付装置を構成する。【選択図】        図１
2004209402.tif 000002
【特許請求の範囲】
【請求項１】
高圧水等の流体を噴射する洗浄装置において、洗浄ノズルを往復回転運動させるために、水車等の駆動装置に流体を通過又は噴射させる構造の可逆駆動源によって、洗浄ノズルの取り付け軸を回転させ、その回転力で、可逆駆動源への流れを正逆交互に一定回転角度で切り替える機構を内蔵させた洗浄ノズル取り付け装置。
【発明の詳細な説明】
【０００１】
【発明の属する技術分野】
本発明は、主に食品の製造工程において、高圧水等を噴射させる洗浄装置に関する。
【０００２】
【従来の技術】
手作業でスプレーガン等を、左右上下に振り作業者を中心軸とした洗浄ノズルを往復回転運動させたり、洗浄ノズルを取り付けたパイプなどを中心軸にして、電気モータや別の駆動装置で往復回転運動させていた。
【０００３】
【発明が解決しようとする課題】
従来から、高圧水等の噴射を手作業のスプレーガン等で、往復回転運動させる事により、洗浄を効率よく行う事が知られているが、人手を省くにはモータなどの別おきの駆動装置を必要としていた。この為、自動化するには構造が複雑になり、取り付ける場所も制約があった。
【０００４】
やむなく類似的な方法として、高圧水等を洗浄面に向けて一方向に固定噴射させるか、一方向に回転しながら噴射する洗浄ノズルを使用していたが、噴射を分散させる為に汚れが落ちにくかった。また、凹凸の有る表面では陰が出来、洗浄ノズルの数を多くしないと広い面積を洗浄出来ず、その為、洗浄水の供給能力が問題となっていた。
【０００５】
【課題を解決するための手段】
モータなどの別おきの駆動装置を要しない往復回転運動する機構を内蔵したコンパクトな洗浄ノズル取り付け装置により、設置工事の省力化を実現し、効率の良い洗浄作業を提供する。
【０００６】
【発明の実施の形態】
本発明は、洗浄水等の供給を開始するだけで、往復回転運動する洗浄ノズルによって、パンチング板や、編み目状の表面を効率よく洗浄するもので、水車等の駆動装置に流体を通過または噴射させる構造の可逆駆動源によって、洗浄ノズルの取り付け軸を回転させ、その回転力で、可逆駆動源への流れを正逆交互に一定回転角度で切り替える機構を設け、洗浄水の噴射方向を回転軸を軸に自らの可逆回転によって一定角度で交互に切り替える。
【０００７】
洗浄ノズルは、その数と洗浄水の洗浄面での広がり等の形状等から、それぞれの噴射方向は、給水能力と回転速度も考慮し、洗浄面の状況に合わせる。また、洗浄面から洗浄ノズルまでの距離も、洗浄水の圧力と回転角度を考慮して取り付ける。
【０００８】
【実施例】
図１〜４は、本発明装置の一実施例の構造を説明する断面図であって、高圧水の給水配管に固定された給水口ＸＸの有るケース部１と洗浄ノズル取付口ＹＹのあるＬ型継ぎ手Ｚと管用ねじで連結された回転軸部２の間に、その回転軸部２を中心軸として往復回転移動する切替部３を設けている。
【０００９】
回転軸部２の主水路ＸとＹとの分流路は円弧状の溝であって、切替部３の通過孔で可逆駆動源９への分流の方向を交互に替える為、ケース部１の給排水路Ｘ１とＸ２への接続を交互に切り替え、流量調節ねじ１４で接続流量を調節する。
【００１０】
その給排水路Ｘ１とＸ２を、平歯車を２つ咬み合わせた可逆駆動源９の給排水口Ｙ１とＹ２に接続し、可逆駆動源９の駆動力を回転軸部２へ歯車で連結させるため駆動軸１０と駆動源歯車１１を可逆駆動源９の片方の歯車に連結して、回転軸部２に固定ねじ１３で固定された回転軸部歯車１２と駆動源歯車１１を咬み合わせる。
【００１１】
回転軸部２に固定されたピン４で切替部３の切欠部分３１、３２に間欠接続して、切替部３を回転軸部２の回転方向に駆動し、洗浄水の流れを正転給水口ａ１から正転排水口ｂ２方向と逆転給水口ａ２から逆転排水口ｂ１方向に交互に切り替え、可逆駆動源９と回転軸部２の回転方向を制御する。
【００１２】
ケース部１と回転軸部２の間には、往復回転を円滑にするためベアリング５を設け、ストップリング６により固定し、シール材８で、液漏れを防止する。ケース部１同士の接合も、シール材７で液漏れやショートパスを防止するため、Ｏリングを使用している。
【００１３】
切替部３を間欠的に回転移動させるに、回転軸部２に取り付けたピン４が、切替部３の切欠部分３１又は３２に当たり、回転を開始させられるまで、ケース部１と切替部３を固定させている必要があるので、回転軸部と切替部の間に切替ばね１５を設け一定の外力が無いと移動しないようにし、切替時に可逆駆動源は、一瞬停止するので切替ばね１５の反発力を使って切り替える。
【００１４】
以下図５〜図８は、回転軸部２が正逆転の往復運動を、繰り返し行うための切り替え動作原理を説明している。
【００１５】
図５、図６において、洗浄ノズルへの主流Ｆｍは、主水路ＸからＹへ通過しているが、回転軸部２の円弧状の溝の分流路から正転時給水通過孔ａ１を通る分流Ｆｓは、ケース部１の給排水路Ｘ１を経由し、可逆駆動源９の給排水口Ｙ１側から駆動装置内に入り、Ｙ２へ抜け正回転の駆動源となり、正転時排水通過孔ｂ２を通って主流Ｆｍと主水路Ｙで合流し、洗浄ノズル接続口ＹＹから高圧水を噴射する。この時、可逆駆動源９は回転を開始し、この駆動源と回転軸部歯車１２等で機械的に連結された回転軸部も正転方向Ｒｆへ回転する。しかし、ケース部１と切替ばね１５で押さえられて、切替部３は移動しない。
【００１６】
上記図５、図６の状態から回転軸部２は、正回転方向Ｒｆへ回転を続け、図２の回転軸部２に取り付けられたピン４が切替部３の切欠部分３２に当たり、切替部３も回転軸部２と同方向に回転を開始する。これにより、正転時の流れ方向の通過孔ａ１とｂ２は回転と共に開路から閉路へ変化し、変わって、逆転時の流れ方向の通過孔ａ２とｂ１が閉路から開路し始める。
【００１７】
上述の状態から回転軸部２は、正回転端近くまで回転すると、分流Ｆｓは弱くなり、一旦停止状態となる。この直前に、図１の切替ばね１５の回転によって蓄えた力は、それまでケース部１に切替ばね１５の反発力で固定されていた切替部３を正回転方向へ移動させ、切替部３は、正回転方向の高圧水を噴射していた状態から完全に切り替えられて、逆回転の図７〜図８の状態になる。
【００１８】
図７、図８において、洗浄ノズルへの主流Ｆｍは、主水路ＸからＹへ通過しているが、回転軸部２の円弧状の溝の分流路から切替部通過孔ａ２を通る分流Ｆｓは、ケース部１の給排水路Ｘ２を経由し可逆駆動源９の給排水口Ｙ２側から駆動装置内に入りＹ１へ抜け、逆回転の駆動源となり、切替部通過孔ｂ１を通って主流Ｆｍと主水路Ｙで合流し、洗浄ノズル接続口ＹＹから高圧水を噴射する。この時、可逆駆動源９は回転を開始し、この駆動源と回転軸部歯車１２等で機械的に連結された回転軸部も逆転方向Ｒｒへ回転する。しかし、正回転と同様に、ケース部１と切替ばね１５で押さえられた切替部３は、移動しない。
【００１９】
以下、回転軸部２は、正回転時と同様に逆回転を続け、ピン４と切替部３の切り欠き部３１が当たり、回転端近くで、切替ばね１５が、切替部３を逆転方向に移動させ、分流Ｆｓは、逆回転状態から正回転の図５図６の状態へ戻る。
【００２０】
上述の説明で、給水されている間は、図５〜図８の動作を繰り返えして、回転軸部２を一定回転角度で往復回転運動させ、高圧水の噴射を継続する。
【００２１】
【発明の効果】
本発明の洗浄ノズル取り付け装置は、自らの可逆駆動源で洗浄ノズルを往復回転運動する事ができ、噴射ノズル１つ当たりの洗浄面積が広くなり、洗浄水の供給能力を軽減できるばかりか、強力な噴射による効率の良い洗浄が期待できる。また、その機構をコンパクトに内蔵した為、自動化するに特に複雑な構造は必要なく、取り付け位置の設置スペースの問題や劣悪環境の問題で、従来では困難であった場所にも適応でき、広範囲に効率の良い洗浄が可能となる。
【図面の簡単な説明】
【図１】洗浄ノズル取り付け装置全体の構造を示した断面図である。
【図２】図１のＡ１−Ａ２の断面図である。
【図３】図１のＢ１−Ｂ２の断面図である。
【図４】図１のＣ１−Ｃ２の断面図である。
【図５】正回転開始時点の流体の流れと駆動方向を説明した略式構造図である。
【図６】正回転開始時点の流体の流れを説明した略式断面図である。
【図７】逆回転開始時点の流体の流れと駆動方向を説明した略式構造図である。
【図８】逆回転開始時点の流体の流れを説明した略式断面図である。
【符号の説明】
１    ケース部
２    回転軸部
３    切替部
３１  切替部切欠部分（逆転時ピン当）
３２  切替部切欠部分（正転時ピン当）
４    ピン
５    ベアリング
６    ストップリング
７    シール材（ケース部同士間）
８    シール材（回転軸部とケース部間）
９    可逆駆動源
１０  駆動軸
１１  駆動源歯車
１２  回転軸部歯車
１３  回転軸部歯車固定ねじ
１４  流量調節ねじ
１５  切替ばね
ＸＸ  給水口
Ｘ    給水側主水路
Ｙ    ノズル取付側主水路
ＹＹ  ノズル取付口
Ｘ１  ケース部の正転時給水路・逆転時排水路
Ｘ２  ケース部の逆転時給水路・正転時排水路
Ｙ１  可逆駆動源の正転時給水口・逆転時排水口
Ｙ２  可逆駆動源の逆転時給水口・正転時排水口
Ｚ    Ｌ型継ぎ手
ａ１  正転時給水通過孔
ａ２  逆転時給水通過孔
ｂ１  正転時排水通過孔
ｂ２  逆転時排水通過孔
【図１】
2004209402.tif 000003
【図２】
2004209402.tif 000004
【図３】
2004209402.tif 000005
【図４】
2004209402.tif 000006
【図５】
2004209402.tif 000007
【図６】
2004209402.tif 000008
【図７】
2004209402.tif 000009
【図８】
2004209402.tif 000010